(57)【要約】  本発明はケージ（２０３）によって覆われる刃（２０２）に接続する回転バー（２０１）を備えるミキサーバー（１０３）を備えるミキサー（１０２）のためのビーカー（１０１）に関する。ビーカーは底表面（１０４）と底表面から垂直軸（Ａ１）に沿って上向きに延びる側壁（１０５）とを含む。側壁（１０５）は、ミキサーバー（１０３）を受け入れるためにその上方部分で開口（１０６）を形成する。底表面（１０４）は、混合中にビーカー（１０１）の底表面（１０４）とミキサーバー（１０３）のケージ（２０３）との間に常に間隙を形成するよう、垂直軸（Ａ１）に対して垂直な軸（Ａ２）に沿う二次元の非平坦パターン（ＮＦＰ）の並進によって生成される表面（Ｓ１）の部分（Ｐ１）として定められる。
2015526229.tif 000002
【特許請求の範囲】
【請求項１】
ミキサーバーを備えるミキサーのためのビーカーであって、
底表面と、
該底表面から垂直軸に沿って上向きに延びる側壁とを含み、
該側壁は、前記ミキサーバーを受け入れるために、その上方部分で、開口を形成し、
前記底表面は、前記垂直軸に対して垂直な軸に沿う二次元の非平坦パターンの並進によって生成される表面の部分として定められる、
ビーカー。
【請求項２】
前記二次元の非平坦パターンは、前記垂直軸と反対の方向において下向きに延びる曲率を含む、請求項１に記載のビーカー。
【請求項３】
前記二次元の非平坦パターンは、前記垂直軸の方向において上向きに延びる曲率を含む、請求項１に記載のビーカー。
【請求項４】
前記二次元の非平坦パターンは、円の部分である、請求項１、２又は３に記載のビーカー。
【請求項５】
前記二次元の非平坦パターンは、放物線の部分である、請求項１、２又は３に記載のビーカー。
【請求項６】
前記二次元の非平坦パターンは、楕円の部分である、請求項１、２又は３に記載のビーカー。
【請求項７】
前記二次元の非平坦パターンは、双曲線枝の部分である、請求項１、２又は３に記載のビーカー。
【請求項８】
前記二次元の非平坦パターンは、シヌソイドの部分である、請求項１、２又は３に記載のビーカー。
【発明の詳細な説明】
【技術分野】
【０００１】
本発明はミキサーバー(blander  bar)を備えるミキサー(blender)のためのビーカー(beaker)に関する。
【０００２】
本発明を台所用品の分野において、具体的には、手持ち式ミキサーの分野において用い得る。
【背景技術】
【０００３】
食料品を混ぜる(mix)或いは混ぜ合わせる(blend)ために設計される製品は、ミキサーとして既知の卓上製品として並びに手持ちミキサー又はバーミキサーとして既知の手持ち製品として知られている。
【０００４】
これらの製品は、例えば、（ジャグ、ジャー、容器とも呼ばれる）ビーカー内に入れられる果実、牛乳、及び氷から果実飲料を作り、次に、結果物が滑らかな液体になるまで、全ての材料を混ぜ合わせる。果実の代わりに、スープを調製するために、野菜を用い得る。
【０００５】
手持ちミキサーは、取外し可能なミキサーバーを備える手持ちユニットで構成され、ミキサーバーは端に回転刃を含む。ミキサーバーは、円筒形の管と、下方端で、回転する刃の周りの保護を形成する、保護ケージとで構成される。ケージの形状は、ドレス形状であるのが普通であり、例えば、半球の形状を有し、刃は内側で自由に回転する。ケージの底縁は、使用者がビーカーの底部分に対して保持するときにビーカーと刃との間に特定の自由空間があるような寸法とされる。ケージは、液体及び材料の特定の流れがケージの内側に入り且つより混ぜ合わされた結果をもたらすために刃領域を通ることを促進するための孔、即ち、切欠きを含み得る。
【０００６】
混ぜ合わされるべき材料を受け入れるための付属物として用いられるビーカーが、手持ちミキサーに付いてくる。混合性能を増大させ、跳ね返りを防止し、且つ混ぜ合わされた材料の便利な注込みを可能にするよう、ビーカーは特定の直径及び高さを有する。
【０００７】
手持ちミキサー用の既知のビーカーは、典型的には、平坦な底表面又は球形状の底表面を有する。
【０００８】
既知のビーカーの問題は吸引力として知られる現象に結び付けられる。この吸引力はミキサーバーのケージに入る材料の流れによって引き起こされ、それは混合中にケージの内側と外側との間の圧力差を創り出す。これは混合中にミキサーバーをビーカーの底表面に強く付着させる。この現象は強力磁石のようにミキサーバーをビーカーの底表面に向かって引き寄せる傾向を有する。この現象は使用者にとって厄介であり、混合効率の劣化を招く。何故ならば、材料はケージに継続的に入り得ないからである。
【０００９】
この問題は、ケージの設計変更によって、例えば、孔又は切欠きを追加することによって、部分的に克服され得るに過ぎない。しかしながら、吸引力が依然として存在するという意味において、そのような解決策は満足のゆくものでなく、それは依然として混合効率に影響を与える。
【発明の概要】
【発明が解決しようとする課題】
【００１０】
ミキサーバーを備えるミキサーのための改良されたビーカーを提案することが本発明の目的である。本発明は独立項によって定められる。従属項は有利な実施態様を定める。
【課題を解決するための手段】
【００１１】
この目的を達成するために、本発明に従ったミキサーバーを備えるミキサーのためのビーカーは、底表面と、底表面から垂直軸に沿って上向きに延びる側壁とを含み、側壁は、ミキサーバーを受け入れるために、その上方部分で、開口を形成する。底表面は、垂直軸に対して垂直な軸に沿う二次元の非平坦パターンの並進（平行移動）によって生成される表面の部分として定められる。
【００１２】
ビーカーの底表面を、垂直軸を対称軸として有さない非平坦表面として定めることによって、これはビーカーの底表面とミキサーバーの底部分（即ち、ケージ）との間に常に間隙が存在することを保証する。結果的に、吸引力は大いに減少させられ、それは混合効率を向上させる。何故ならば、材料はミキサーバーのケージ内に継続的に流入し得るからである。
【００１３】
本発明の詳細な説明及び他の特徴は以下に与えられる。
【００１４】
以下に記載し且つ添付の図面に関連して考察する実施態様を参照して本発明を説明する。図面中、同じ部分又はサブステップを同様に指し示す。
【図面の簡単な説明】
【００１５】
【図１】ミキサーバーを備えるミキサーのための本発明に従ったビーカーを示す図である。
【図２Ａ】本発明に従ったビーカーを詳細に示す図である。
【図２Ｂ】本発明に従ったビーカーを詳細に示す図である。
【図３Ａ】本発明の実施態様に従ったビーカーの底表面の特徴に関する詳細を示す図である。
【図３Ｂ】本発明の実施態様に従ったビーカーの底表面の特徴に関する詳細を示す図である。
【図４Ａ】本発明の実施態様に従ったビーカーの底表面の特徴に関する詳細を示す図である。
【図４Ｂ】本発明の実施態様に従ったビーカーの底表面の特徴に関する詳細を示す図である。
【図５Ａ】本発明の実施態様に従ったビーカーの底表面の特徴に関する詳細を示す図である。
【図５Ｂ】本発明の実施態様に従ったビーカーの底表面の特徴に関する詳細を示す図である。
【図６Ａ】本発明の実施態様に従ったビーカーの底表面の特徴に関する詳細を示す図である。
【図６Ｂ】本発明の実施態様に従ったビーカーの底表面の特徴に関する詳細を示す図である。
【図７Ａ】本発明の実施態様に従ったビーカーの底表面の特徴に関する詳細を示す図である。
【図７Ｂ】本発明の実施態様に従ったビーカーの底表面の特徴に関する詳細を示す図である。
【図８Ａ】本発明の実施態様に従ったビーカーの底表面の特徴に関する詳細を示す図である。
【図８Ｂ】本発明の実施態様に従ったビーカーの底表面の特徴に関する詳細を示す図である。
【発明を実施するための形態】
【００１６】
図１は、ミキサーバー１０３を備えるミキサー１０２のための本発明に従ったビーカー１０１を描写している。ビーカー１０１は、底表面１０４と、底表面から垂直軸Ａ１に沿って上向きに延びる側壁１０５とを含む。
【００１７】
底表面１０４は、垂直軸Ａ１に対して垂直な軸Ａ２に沿う二次元の非平坦パターンＮＦＰの並進（平行移動）によって生成される表面Ｓ１の部分Ｐ１として定められる。
【００１８】
側壁１０５は、ミキサーバー１０３を受け入れるために、その上方部分で、開口１０６を形成する。
【００１９】
ビーカー１０１は、有利には、注ぎ口１０７を含む。
【００２０】
ミキサー１０２の上方部分は、電気モータ（図示せず）を含む主ユニットに対応する。
【００２１】
図２Ａ及び図２Ｂは、本発明に従ったビーカー１０１とミキサー１０２の下方部分との詳細を例示している。ミキサー１０２の下方部分は、ミキサーバー１０３に対応する。図２は、軸Ａ２に対して垂直な平面における断面図であるのに対し、図３は、軸Ａ１及び軸Ａ２によって形成される平面と平行な平面における断面図である。ミキサーバー１０３は、一端で主ユニットの電気モータに接続される回転バー２０１と、他端で接続される刃２０２とを備える。刃２０２は、ミキサーバー１０３に固定されるケージ２０３によって覆われている。
【００２２】
側壁１０５の断面は如何なる形状であってもよいが、好ましくは、円形又は楕円形である。
【００２３】
側壁１０５は軸Ａ１に沿って垂直に延び得るが、好ましくは、例示されるように、底表面１０４から開始して増大する直径を備える。
【００２４】
図３Ａは、本発明の実施態様に従った底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１と反対の方向において下向きに延びる曲率（湾曲）を含む円Ｃの部分である。この二次元の非平坦パターンＮＦＰは、軸Ａ２に対して垂直な平面内にある。表面Ｓ１の上で、網パターンで提示される部分Ｐ１は、ビーカーの底表面の外周ＰＥの軸Ａ１に沿う垂直突起によって境界付けられる。換言すれば、部分Ｐ１は、外周ＰＥと表面Ｓ１との交差によって境界付けられる領域である。
【００２５】
図３Ｂは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する複数の二次元の非平坦パターンＮＦＰによって例示されている。この実施態様において、二次元の非平坦パターンＮＦＰは、垂直軸Ａ１の方向において上向きに延びる曲率（湾曲）を含む円Ｃの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００２６】
図４Ａは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１と反対の方向において下向きに延びる曲率（湾曲）を含む放物線Ｐの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００２７】
図４Ｂは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１の方向において上向きに延びる曲率（湾曲）を含む放物線Ｐの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００２８】
図５Ａは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１と反対の方向において下向きに延びる曲率（湾曲）を含む楕円Ｅの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられている。換言すれば、部分Ｐ１は、外周ＰＥと表面Ｓ１との交差によって境界付けられる領域である。
【００２９】
図５Ｂは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１の方向において上向きに延びる曲率（湾曲）を含む楕円Ｅの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３０】
図６Ａは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１と反対の方向において下向きに延びる曲率（湾曲）を含む双曲線枝Ｈの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３１】
図６Ｂは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１の方向において上向きに延びる曲率（湾曲）を含む双曲線枝Ｈの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３２】
図７Ａは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１と反対の方向において下向きに延びる曲率（湾曲）を含むシヌソイドＳの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３３】
図７Ｂは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、垂直軸Ａ１の方向において上向きに延びる曲率（湾曲）を含むシヌソイドＳの部分である。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３４】
図８Ａは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、シヌソイドＳの部分であり、シヌソイドＳは、シヌソイドＳの少なくとも２つの半周期を含む。理解のために、３つの半周期のみが例示されており、中央の半周期は垂直軸Ａ１と反対の方向において下向きに延びている。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３５】
図８Ｂは、本発明の実施態様に従った、底表面１０４の特徴に関する詳細を例示している。この実施態様において、底表面１０４は、軸Ａ２に沿う二次元の非平坦パターンＮＦＰの並進によって生成される表面Ｓ１の部分Ｐ１として定められ、軸Ａ２は垂直軸Ａ１に対して垂直である。この並進は、軸Ａ２に沿って反復する点線において提示される複数の二次元の非平坦パターンＮＦＰによって例示されている。この実施態様において、二次元の非平坦パターンＮＦＰは、シヌソイドＳの部分であり、シヌソイドＳは、シヌソイドＳの少なくとも２つの半周期を含む。理解のために、３つの半周期のみが例示されており、中央の半周期は垂直軸Ａ１の方向において上向きに延びている。この二次元の非平坦パターンＮＦＰは、軸Ａ２に対して垂直な平面内にある。表面Ｓ１の上で、網パターンで提示される部分Ｐ１は、ビーカーの底表面１０４の外周ＰＥの軸Ａ１に沿う垂直突起によって境界付けられる。換言すれば、部分Ｐ１は、外周ＰＥと表面Ｓ１との交差によって境界付けられる領域である。
【００３６】
請求される発明を実施する当業者は、図面、開示、及び付属の請求項の研究から、開示の実施態様に対する他の変形を理解し且つ行い得る。請求項において、「含む」という用語は他の要素又はステップを排除せず、単数形の表現は複数形を排除しない。単一のユニットが請求項において列挙される幾つかの品目の機能を充足し得る。特定の手段が相互に異なる従属項において列挙されているという単なる事実は、これらの手段の組み合わせを有利に用い得ないことを示さない。請求項中の如何なる参照記号も請求項の範囲を限定するものとして解釈されてはならない。
【図１】
2015526229.tif 000003
【図２Ａ】
2015526229.tif 000004
【図２Ｂ】
2015526229.tif 000005
【図３Ａ】
2015526229.tif 000006
【図３Ｂ】
2015526229.tif 000007
【図４Ａ】
2015526229.tif 000008
【図４Ｂ】
2015526229.tif 000009
【図５Ａ】
2015526229.tif 000010
【図５Ｂ】
2015526229.tif 000011
【図６Ａ】
2015526229.tif 000012
【図６Ｂ】
2015526229.tif 000013
【図７Ａ】
2015526229.tif 000014
【図７Ｂ】
2015526229.tif 000015
【図８Ａ】
2015526229.tif 000016
【図８Ｂ】
2015526229.tif 000017
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
ケージによって覆われる刃に接続する回転バーを備えるミキサーバーを備えるミキサーのためのビーカーであって、
底表面と、
該底表面から垂直軸に沿って上向きに延びる側壁とを含み、
該側壁は、前記ミキサーバーを受け入れるために、その上方部分で、開口を形成し、
前記底表面は、混合中に当該ビーカーの前記底表面と前記ミキサーバーの前記ケージとの間に常に間隙を形成するよう、前記垂直軸に対して垂直な軸に沿う二次元の非平坦パターンの並進によって生成される表面の部分として定められる、
ビーカー。
【請求項２】
前記二次元の非平坦パターンは、前記垂直軸と反対の方向において下向きに延びる曲率を含む、請求項１に記載のビーカー。
【請求項３】
前記二次元の非平坦パターンは、前記垂直軸の方向において上向きに延びる曲率を含む、請求項１に記載のビーカー。
【請求項４】
前記二次元の非平坦パターンは、円の部分である、請求項１、２又は３に記載のビーカー。
【請求項５】
前記二次元の非平坦パターンは、放物線の部分である、請求項１、２又は３に記載のビーカー。
【請求項６】
前記二次元の非平坦パターンは、楕円の部分である、請求項１、２又は３に記載のビーカー。
【請求項７】
前記二次元の非平坦パターンは、双曲線枝の部分である、請求項１、２又は３に記載のビーカー。
【請求項８】
前記二次元の非平坦パターンは、シヌソイドの部分である、請求項１、２又は３に記載のビーカー。
【手続補正２】
【補正対象書類名】明細書
【補正対象項目名】００２１
【補正方法】変更
【補正の内容】
【００２１】
図２Ａ及び図２Ｂは、本発明に従ったビーカー１０１とミキサー１０２の下方部分との詳細を例示している。ミキサー１０２の下方部分は、ミキサーバー１０３に対応する。図２Ａは、軸Ａ２に対して垂直な平面における断面図であるのに対し、図２Ｂは、軸Ａ１及び軸Ａ２によって形成される平面と平行な平面における断面図である。ミキサーバー１０３は、一端で主ユニットの電気モータに接続される回転バー２０１と、他端で接続される刃２０２とを備える。刃２０２は、ミキサーバー１０３に固定されるケージ２０３によって覆われている。
【国際調査報告】
2015526229.tif 000018
2015526229.tif 000019